(57)【要約】【課題】給気抵抗を小さくしつつ水分除去効果を大きくすることができる給湯装置を提供する。【解決手段】給湯装置１００は、ケース１と、内部部材１０と、傾斜部２０とを備えている。内部部材２０は、ケース１内に配置され、かつケース１内で上方に向けて開口する給気用開口ＯＰを有する。傾斜部２０は、内部部材２０の給気用開口ＯＰの上方に位置する。傾斜部２０は、上方から下方に向けて傾斜している。【選択図】図１
2020016382.tif 000002
【特許請求の範囲】
【請求項１】
ケースと、
前記ケース内に配置され、かつ前記ケース内で上方に向けて開口する給気用開口を有する内部部材と、
前記内部部材の前記給気用開口の上方に位置する傾斜部とを備え、
前記傾斜部は、上方から下方に向けて傾斜している、給湯装置。
【請求項２】
前記ケースは、給気孔を有する壁部と、前記壁部と前記内部部材との間に構成された第１空間と、前記内部部材の上方に位置する第２空間とを含み、
前記給気孔に連通しかつ前記第１空間と前記第２空間とをつなぐ前記給気用開口の上方に前記傾斜部が配置されている、請求項１に記載の給湯装置。
【請求項３】
前記傾斜部は、前記壁部に近づくほど下方に位置するように傾斜している、請求項２に記載の給湯装置。
【請求項４】
前記傾斜部の最下端の真下に前記給気用開口が位置している、請求項１〜３のいずれか１項に記載の給湯装置。
【請求項５】
前記傾斜部に連なる給気誘導部をさらに備え、
前記給気誘導部は、前記給気用開口からの給気を前記傾斜部から前記ケースの内部へ導くように構成されている、請求項１〜４のいずれか１項に記載の給湯装置。
【請求項６】
前記内部部材は、防雨板およびダクトの少なくともいずれかである、請求項１に記載の給湯装置。
【請求項７】
燃焼ガスを前記ケース外に排気するための排気部をさらに備え、
前記傾斜部は、前記排気部に一体的に取り付けられている、請求項１〜６のいずれか１項に記載の給湯装置。
【発明の詳細な説明】
【技術分野】
【０００１】
本発明は給湯装置に関するものである。
【背景技術】
【０００２】
従来、ケースに設けられた給気孔と向かい合うようにケース内に配置された防雨板を備えた給湯装置が、たとえば特開平９−２９６９６１号公報（特許文献１）に記載されている。この公報に記載された給湯装置では、防雨板の上端に給気用開口とともに雨滴返しが設けられている。この防雨板および雨滴返しによって水分のケース内部への浸入が抑制される。
【先行技術文献】
【特許文献】
【０００３】
【特許文献１】特開平９−２９６９６１号公報
【発明の概要】
【発明が解決しようとする課題】
【０００４】
しかしながら、上記公報に記載された給湯装置では、防雨板の上端に給気用開口とともに雨滴返しが設けられている。したがって、雨滴返しによって給気用開口が狭くなるため、給気抵抗が大きくなる。また、雨滴返しを大きくすると給気抵抗が大きくなるため、雨滴返しを大きくすることができない。したがって、雨滴返しによる水分除去効果が不十分である。
【０００５】
本発明は上記課題に鑑みてなされたものであり、その目的は、給気抵抗を小さくしつつ水分除去効果を大きくすることができる給湯装置を提供することである。
【課題を解決するための手段】
【０００６】
本発明の給湯装置は、ケースと、内部部材と、傾斜部とを備えている。内部部材は、ケース内に配置され、かつケース内で上方に向けて開口する給気用開口を有する。傾斜部は、内部部材の給気用開口の上方に位置する。傾斜部は、上方から下方に向けて傾斜している。
【０００７】
本発明の給湯装置によれば、傾斜部は、給気用開口の上方に位置するため、給気用開口から離れている。これにより、給気用開口の面積を大きく確保することができる。したがって、給気抵抗を小さくすることができる。また、傾斜部が給気用開口の上方に位置するため、給気抵抗を小さくしつつ傾斜部を大きくすることができる。この傾斜部が給気用開口から出た給気に当てられるため、傾斜部による水分除去効果を大きくすることができる。さらに、傾斜部は上方から下方に向けて傾斜しているため、傾斜部に付着した水分を傾斜部に沿って落下させることが容易となる。これにより水分除去効果をさらに大きくすることができる。
【０００８】
上記の給湯装置において、ケースは、給気孔を有する壁部と、壁部と内部部材との間に構成された第１空間と、内部部材の上方に位置する第２空間とを含んでいる。給気孔に連通しかつ第１空間と第２空間とをつなぐ給気用開口の上方に傾斜部が配置されている。このため、内部部材および傾斜部によって水分の給気孔からケースの内部への浸入を抑制することができる。
【０００９】
上記の給湯装置において、傾斜部は、壁部に近づくほど下方に位置するように傾斜している。このため、傾斜部に沿って給気が斜め上方に流れる。したがって、給気抵抗を小さくすることができる。
【００１０】
上記の給湯装置において、傾斜部の最下端の真下に給気用開口が位置している。このため、傾斜部に沿って斜め下方に流れた水分が傾斜部の最下端から給気用開口に落下する。したがって、水分を給気用開口を通じて内部部材に戻すことができる。
【００１１】
上記の給湯装置は、傾斜部に連なる給気誘導部をさらに備えている。給気誘導部は、給気用開口からの給気を傾斜部からケースの内部へ導くように構成されている。このため、給気誘導部によって、給気のケースの内部への流れをスムーズにできる。したがって、給気抵抗を小さくすることができる。
【００１２】
上記の給湯装置において、内部部材は、防雨板およびダクトの少なくともいずれかである。このため、内部部材の設計の自由度を向上させることができる。
【００１３】
上記の給湯装置は、燃焼ガスをケース外に排気するための排気部をさらに備えている。傾斜部は、排気部に一体的に取り付けられている。このため、傾斜部の強度を向上させることができる。したがって、組立ての時またはメンテナンス時に、排気部がケースに着脱される際に、作業者が傾斜部に触れても傾斜部は折れ曲がりにくい。
【発明の効果】
【００１４】
以上説明したように、本発明によれば、給気抵抗を小さくしつつ水分除去効果を大きくすることができる給湯装置を提供することができる。
【図面の簡単な説明】
【００１５】
【図１】本発明の一実施の形態における給湯装置の構成を概略的に示す断面図である。
【図２】本発明の一実施の形態におけるカバー体の構成を概略的に示す斜視図である。
【図３】本発明の一実施の形態における変形例１の給湯装置の構成を概略的に示す断面図である。
【図４】本発明の一実施の形態における変形例１の給湯装置が含む傾斜部の変形例の構成を概略的に示す拡大断面図である。
【図５】本発明の一実施の形態における変形例２の給湯装置の構成を概略的に示す断面図である。
【発明を実施するための形態】
【００１６】
以下、本発明の実施の形態について図を参照して説明する。なお、以下の図においては、同一または相当する部分に同一の符号を付すものとし、重複する説明は繰り返さない。
【００１７】
図１および図２を参照して、本発明の一実施の形態における給湯装置１００の構成を説明する。本発明の一実施の形態における給湯装置１００は、ケース１と、バーナ２と、ファン３と、熱交換器４と、排気集合筒５と、内部部材１０と、傾斜部２０と、給気誘導部３０とを主に備えている。
【００１８】
ケース１内に、バーナ２と、ファン３と、熱交換器４と、排気集合筒５と、内部部材１０と、傾斜部２０と、給気誘導部３０とが収容されている。ケース１は、本体部１ａと、フロントカバー（壁部）１ｂとを有している。本体部１ａは、外壁に取り囲まれた内部空間を有している。本体部１ａは、フロントカバー１ｂ側に設けられた第１端面１ａ１に取り囲まれた開放部１ａ２を有している。開放部１ａ２は、本体部１ａの内部空間に連通している。
【００１９】
フロントカバー１ｂは、本体部１ａに取り付けられている。具体的には、フロントカバー１ｂの本体部１ａ側に設けられた第２端面１ｂ１が本体部１ａの第１端面１ａ１に取り付けられている。フロントカバー１ｂが本体部１ａに取り付けられた状態で、フロントカバー１ｂは開放部１ａ２を覆うように配置されている。
【００２０】
フロントカバー１ｂは給気孔Ｈ１を有している。給気孔Ｈ１は、フロントカバー１ｂの前面部に設けられている。給気孔Ｈ１は、ケース１外から空気をケース１内に取り込むためのものである。雨天時などには雨滴および空気中の霧などの水分が空気とともに給気孔Ｈ１からケース１内に取り込まれる。本発明の一実施の形態では、複数の給気孔Ｈ１が設けられている。複数の給気孔Ｈ１は、給気部ＡＰを構成している。給気部ＡＰは、ケース１の前面に設けられている。
【００２１】
フロントカバー１ｂは、本体部１ａからケース１の前面側に突出した部分の内側の領域に空間を有するように構成されている。フロントカバー１ｂは排水口ＤＰを有している。排水口ＤＰは、フロントカバー１ｂの突出した部分の底面部に設けられている。なお、給気孔Ｈ１は、フロントカバー１ｂの側面部に設けられていてもよい。
【００２２】
バーナ２は、燃焼ガスを供給可能に構成されている。燃焼ガスは、熱交換器４内の水との間で熱交換を行うためのものである。ファン３は、バーナ２に燃焼用の空気を供給するためのものである。ファン３は、ケース１内に取り込まれた空気をバーナ２に送風可能に構成されている。
【００２３】
熱交換器４は、バーナ２によって供給された燃焼ガスと、熱交換器４の内部を流れる水との間で熱交換が行われるように構成されている。熱交換器４は、水を流通可能な伝熱管と、伝熱管に取り付けられたフィンと、伝熱管およびフィンを収容する熱交換器ケースとを有している。熱交換器ケース内において、伝熱管およびフィンの周囲を燃焼ガスが流れる。この燃焼ガスと伝熱管内を流れる水との間で熱交換が行われる。
【００２４】
熱交換器４は排気集合筒５に接続されている。熱交換器４は排気集合筒５よりも燃焼ガスの流れの上流に配置されている。排気集合筒５は、熱交換器４を通過した燃焼ガスを集合させて給湯装置１００外に排気するためのものである。
【００２５】
排気集合筒５は、排気部５ａと、排気通路部５ｂとを有している。排気部５ａは、燃焼ガスをケース１外に排気するためのものである。排気部５ａはケース１の前面に配置されている。排気部５ａは、フロントカバー１ｂに設けられた貫通孔Ｈ２を通ってケース１内からケース１外に突き出している。
【００２６】
排気通路部５ｂは、熱交換器４に接続されている。排気通路部５ｂは、熱交換器４から流入した燃焼ガスを排気部５ａに導くように構成されている。排気通路部５ｂ内に流入した燃焼ガスは、排気通路部５ｂを通過して排気部５ａに流入し、排気部５ａから排気される。
【００２７】
内部部材１０は、ケース１内に配置されている。内部部材１０はフロントカバー１ｂの背面部側に配置されている。内部部材１０は、ケース１内で上方に向けて開口する給気用開口ＯＰを有している。給気用開口ＯＰは、給気部ＡＰの高さ位置よりも上方に配置されている。
【００２８】
傾斜部２０は、給気用開口ＯＰの上方に位置する。傾斜部２０は、上方から下方に向けて傾斜している。傾斜部２０は、給気用開口ＯＰと上下方向に重なるように配置されている。傾斜部２０は、たとえば板状に構成されている。なお、傾斜部２０は、下面が上方から下方に向けて傾斜していればよい。
【００２９】
本発明の一実施の形態では、内部部材１０は、フロントカバー１ｂの背面部に取り付けられている。フロントカバー１ｂと、内部部材１０とは、カバー体ＣＰを構成している。フロントカバー１ｂと、内部部材１０とは、カバー体ＣＰとして、一体的に構成されている。
【００３０】
本発明の一実施の形態では、内部部材１０は、防雨板１０ａである。防雨板１０ａは、給気孔Ｈ１からケース１内に侵入した雨滴がバーナ２などの給湯装置１００の構成部品に付着することを抑制するためのものである。防雨板１０ａは、給気の通路を確保するため、フロントカバー１ｂの突出した部分から距離を隔てて配置されている。防雨板１０ａは、給気に混じった雨滴の浸入を抑制する。また、防雨板１０ａは、ファン３への給気流路を一旦防雨板１０ａによって上方向へ迂回させる間に雨滴の落下および付着を促すように構成されている。
【００３１】
防雨板１０ａは、フロントカバー１ｂと、バーナ２、ファン３、熱交換器４との間に配置されている。防雨板１０ａはケース１の底面から天面に向かって延在している。つまり、防雨板１０ａは上方に向けて延在している。防雨板１０ａはケース１の底面から天面に向けて底面よりも天面の近くまで延在している。防雨板１０ａは排気部５ａの下方に配置されている。防雨板１０ａはケース１の幅方向の略全体に渡って延在している。
【００３２】
ケース１は、第１空間ＳＰ１と、第２空間ＳＰ２とを有している。第１空間ＳＰ１は、フロントカバー１ｂと内部部材１０との間に構成されている。本発明の一実施の形態では、防雨板１０ａで覆われた、フロントカバー１ｂの突出した部分の内側の領域が、第１空間ＳＰ１を構成している。防雨板１０ａとフロントカバー１ｂとの間の第１空間ＳＰ１によって、給気孔Ｈ１からケース１内に取り込まれた空気の流路が構成されている。給気孔Ｈ１からケース１内に取り込まれた空気は、第１空間ＳＰ１を通って上方に流れる。
【００３３】
第２空間ＳＰ２は、内部部材１０の上方に位置する。第２空間ＳＰ２は、給気用開口ＯＰの上方に位置する。第２空間ＳＰ２は排気集合筒５の下方に位置する。給気用開口ＯＰは給気孔Ｈ１に連通している。給気用開口ＯＰは、第１空間ＳＰ１と第２空間ＳＰ２とをつないでいる。給気用開口ＯＰの上方に傾斜部２０が配置されている。
【００３４】
傾斜部２０は、フロントカバー１ｂに近づくほど下方に位置するように傾斜している。つまり、傾斜部２０は、ケース１の背面に近づくほど上方に位置するように傾斜している。傾斜部２０は、下り勾配を有している。傾斜部２０は、直線的に傾斜していてもよい。
【００３５】
傾斜部２０の最下端の真下に給気用開口ＯＰが位置している。傾斜部２０の最下端の真下に給気用開口ＯＰの中央が位置していていてもよい。また、傾斜部２０の最下端の真下にフロントカバー１ｂの排水口ＤＰが位置していてもよい。
【００３６】
傾斜部２０は、排気部５ａに一体的に取り付けられている。傾斜部２０は、排気部５ａの下面に一体的に取り付けられていてもよい。
【００３７】
給気誘導部３０は、傾斜部２０に連なるように構成されている。給気誘導部３０は、給気用開口ＯＰからの給気を傾斜部２０からケース１の内部へ導くように構成されている。給気誘導部３０は、傾斜部２０に対してフロントカバー１ｂと反対側に配置されている。給気誘導部３０は排気集合筒５の下面に取り付けられていてもよい。給気誘導部３０は排気集合筒５の下面から下方に向けて延在していていてもよい。給気誘導部３０は、下方に向けて傾斜部２０との距離が広がるように構成されていてもよい。
【００３８】
給気誘導部３０は、たとえば排気集合筒５に対して熱交換器４を支持する部材である。具体的には、給気誘導部３０は、排気集合筒５にビスなどにより固定されている。また給気誘導部３０は、熱交換器４の外側に張り出したフランジ部４ａを排気集合筒５との間に挟み込んでいる。
【００３９】
給気誘導部３０は、取付部３０ａと、延在部３０ｂと、押え部３０ｃとを有している。取付部３０ａは、排気集合筒５にビスなどで取り付けられる部分である。延在部３０ｂは、取付部３０ａから下方に延びる部分である。押え部３０ｃは、延在部３０ｂの下端から折れ曲がり、かつ排気集合筒５との間で熱交換器４のフランジ部４ａを挟み込む部分である。
【００４０】
傾斜部２０を通過した空気は、給気誘導部３０の取付部３０ａに沿うことで横向きの流れとなる。また取付部３０ａを通過した空気は、延在部３０ｂに沿って流れることで下向きの流れとなる。このように給気誘導部３０によって空気の流れをスムーズに変えることができる。このため、給気誘導部３０によって給気を傾斜部２０からケース１内へスムーズに導くことができる。
【００４１】
続いて、図１を参照して、ケース１内に空気とともに取り込まれた水分がケース１外に排出される様子について説明する。
【００４２】
図１中実線矢印で示されるように、空気は、複数の給気孔Ｈ１からケース１内に取り込まれ、第１空間ＳＰ１を上方に向けて流れる。第１空間ＳＰ１を通過した空気は、給気用開口ＯＰを通って第２空間ＳＰ２に流入する。第２空間ＳＰ２を通過した空気は、防雨板１０ａと、熱交換器４およびバーナ２との間の空間を下方に向けて流れ、ファン３に吸い込まれる。
【００４３】
雨天時などには雨滴および空気中の霧などの水分が空気とともに複数の給気孔Ｈ１からケース１内に取り込まれる。この水分は空気とともに、第１空間ＳＰ１を通って上方に向けて流れ、給気用開口ＯＰを通って、傾斜部２０の下面に接触する。この際、水分は傾斜部２０の下面に付着する。傾斜部２０の下面に付着した水分は、傾斜部２０の下面に沿って傾斜部２０の最下端に向けて流れ、傾斜部２０の最下端から給気用開口ＯＰに向けて落下する。図１中破線矢印で示されるように、給気用開口ＯＰに落下した水分は、第１空間ＳＰ１を通って、排水口ＤＰからケース１外に排出される。また、給気用開口ＯＰに落下した水分は、防雨板１０ａとフロントカバー１ｂとの間の隙間を通って、ケース１外に排出されてもよい。
【００４４】
次に、図３を参照して、本発明の一実施の形態における変形例１の給湯装置１００について説明する。本発明の一実施の形態における変形例１の給湯装置１００では、傾斜部２０は、フロントカバー１ｂの前面部に取り付けられている。傾斜部２０は、給気用開口ＯＰの上方において、フロントカバー１ｂの前面部から防雨板１０ａまで延在していてもよい。本発明の一実施の形態における変形例１では、傾斜部２０をカバー体ＣＰとして、傾斜部２０とフロントカバー１ｂとを一体的に構成することができる。このため、傾斜部２０の設計の自由度を向上させることができる。
【００４５】
続いて、図４を参照して、本発明の一実施の形態における変形例１の給湯装置１００が含む傾斜部２０の変形例について説明する。
【００４６】
図４（Ａ）は、この傾斜部２０の変形例１を示す拡大断面図である。図４（Ａ）を参照して、傾斜部２０の変形例１では、傾斜部２０は、フロントカバー１ｂに支持された支持部２１と、支持部２１に接続された先端部２２とを含んでいる。支持部２１はフロントカバー１ｂから離れるほど下方に位置するように傾斜している。先端部２２はフロントカバー１ｂに近づくほど下方に位置するように傾斜している。支持部２１と先端部２２とは傾斜部２０の最下端で接続されている。傾斜部２０は略Ｖ字状に構成されている。
【００４７】
図４（Ａ）中実線矢印で示されるように、給気用開口ＯＰを通過した空気は、先端部２２の下面に沿って斜め上方に向けて流れた後に斜め下方に向けて流れる。図４（Ａ）中破線矢印で示されるように、給気用開口ＯＰを空気とともに通過した水分は、傾斜部２０の下面に付着し、傾斜部２０の最下端から給気用開口ＯＰに落下する。
【００４８】
図４（Ｂ）は上記の傾斜部２０の変形例２を示す拡大断面図である。図４（Ｂ）を参照して、傾斜部２０の変形例２では、支持部２１は傾斜していない。つまり、支持部２１はフロントカバー１ｂに対して直交している。傾斜部２０の変形例２においても支持部２１と先端部２２とは傾斜部２０の最下端で接続されている。
【００４９】
図４（Ｂ）中実線矢印で示されるように、給気用開口ＯＰを通過した空気は、先端部２２の下面に沿って斜め上方に向けて流れた後に斜め下方に向けて流れる。図４（Ｂ）中破線矢印で示されるように、給気用開口ＯＰを空気とともに通過した水分は、傾斜部２０の下面に付着し、傾斜部２０の最下端から給気用開口ＯＰに落下する。
【００５０】
図４（Ｃ）は上記の傾斜部２０の変形例３を示す拡大断面図である。図４（Ｃ）を参照して、傾斜部２０の変形例３では、支持部２１はフロントカバー１ｂに近づくほど下方に位置するように傾斜している。先端部２２とフロントカバー１ｂの前面部との間には隙間ＧＰが設けられている。
【００５１】
図４（Ｃ）中実線矢印で示されるように、給気用開口ＯＰを通過した空気の一部は、先端部２２の下面に沿って斜め上方に向けて流れた後に斜め下方に向けて流れる。また、給気用開口ＯＰを通過した空気の他部は、隙間ＧＰを通って上方に向けて流れた後に斜め下方に向けて流れて、傾斜部２０の上面に沿って隙間ＧＰに向けて流れる。
【００５２】
図４（Ｃ）中破線矢印で示されるように、給気用開口ＯＰを空気の一部とともに通過した水分は、傾斜部２０の下面に付着し、傾斜部２０の最下端から給気用開口ＯＰに落下する。また、給気用開口ＯＰを空気の他部とともに通過した水分は、傾斜部２０の上面に付着し、傾斜部２０の上面に沿って流れ、隙間ＧＰを通って先端部２２の最下端から給気用開口ＯＰに落下する。
【００５３】
次に、図５を参照して、本発明の一実施の形態における変形例２の給湯装置１００について説明する。本発明の一実施の形態における変形例２の給湯装置１００では、内部部材１０は、ダクト１０ｂである。ダクト１０ｂは、管状に構成されている。ダクト１０ｂの下端は、フロントカバー１ｂの下面からケース１外に突き出している。ダクト１０ｂの下端に給気孔Ｈ１が設けられている。ダクト１０ｂの上端はケース１内に配置されている。ダクト１０ｂの上端に給気用開口ＯＰが設けられている。ダクト１０ｂには、給気孔Ｈ１と給気用開口ＯＰとをつなぐ内部空間が設けられている。ダクト１０ｂの上端に設けられた給気用開口ＯＰの上方に傾斜部２０が位置している。
【００５４】
図５中実線矢印で示されるように、空気は、ダクト１０ｂの下端に設けられた給気孔Ｈ１からダクト１０ｂ内に取り込まれ、ダクト１０ｂ内を上方に向けて流れる。ダクト１０ｂ内を通過した空気は、給気用開口ＯＰを通って、ダクト１０ｂと、熱交換器４およびバーナ２との間の空間を下方に向けて流れ、ファン３に吸い込まれる。
【００５５】
給気用開口ＯＰを空気とともに通過した水分は、傾斜部２０の下面に付着する。傾斜部２０の下面に付着した水分は、傾斜部２０の下面に沿って傾斜部２０の最下端に向けて流れ、傾斜部２０の最下端から給気用開口ＯＰに向けて落下する。図１中破線矢印で示されるように、給気用開口ＯＰに落下した水分は、ダクト１０ｂ内を通って、給気孔Ｈ１からケース１外に排出される。
【００５６】
次に、本実施の形態の作用効果について説明する。
本実施の形態における給湯装置１００によれば、傾斜部２０は、給気用開口ＯＰの上方に位置するため、給気用開口ＯＰから離れている。これにより、給気用開口ＯＰの面積を大きく確保することができる。したがって、給気抵抗を小さくすることができる。また、傾斜部２０が給気用開口ＯＰの上方に位置するため、給気抵抗を小さくしつつ傾斜部を大きくすることができる。この傾斜部２０が給気用開口ＯＰから出た給気に当てられるため、傾斜部２０による水分除去効果を大きくすることができる。さらに、傾斜部２０は上方から下方に向けて傾斜しているため、傾斜部２０に付着した水分を傾斜部２０に沿って落下させることが容易となる。これにより水分除去効果をさらに大きくすることができる。
【００５７】
本実施の形態における給湯装置１００では、ケース１は、給気孔Ｈ１を有するフロントカバー１ｂと、フロントカバー１ｂと内部部材１０との間に構成された第１空間ＳＰ１と、内部部材１０の上方に位置する第２空間ＳＰ２とを含んでいる。そして、給気孔Ｈ１に連通しかつ第１空間ＳＰ１と第２空間ＳＰ２とをつなぐ給気用開口ＯＰの上方に傾斜部２０が配置されている。このため、内部部材１０および傾斜部２０によって水分の給気孔Ｈ１からケース１の内部への浸入を抑制することができる。
【００５８】
本実施の形態における給湯装置１００では、傾斜部２０は、フロントカバー１ｂに近づくほど下方に位置するように傾斜している。このため、傾斜部２０に沿って給気が斜め上方に流れる。したがって、給気抵抗を小さくすることができる。
【００５９】
本実施の形態における給湯装置１００では、傾斜部２０の最下端の真下に給気用開口ＯＰが位置している。このため、傾斜部２０に沿って斜め下方に流れた水分が傾斜部２０の最下端から給気用開口ＯＰに落下する。したがって、水分を給気用開口ＯＰを通じて内部部材１０に戻すことができる。
【００６０】
本実施の形態における給湯装置１００では、給気誘導部３０は、給気用開口ＯＰからの給気を傾斜部２０からケース１の内部へ導くように構成されている。このため、給気誘導部３０によって、給気のケース１の内部への流れをスムーズにできる。したがって、給気抵抗を小さくすることができる。
【００６１】
本実施の形態における給湯装置１００では、内部部材１０は、防雨板１０ａおよびダクト１０ｂの少なくともいずれかである。このため、内部部材１０の設計の自由度を向上させることができる。
【００６２】
本実施の形態における給湯装置１００では、傾斜部２０は、排気部５ａに一体的に取り付けられている。このため、傾斜部２０の強度を向上させることができる。したがって、組立ての時またはメンテナンス時に、排気部５ａがケース１に着脱される際に、作業者が傾斜部２０に触れても傾斜部２０は折れ曲がりにくい。
【００６３】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００６４】
１  ケース、１ａ  本体部、１ｂ  フロントカバー、２  バーナ、３  ファン、４  熱交換器、５  排気集合筒、５ａ  排気部、５ｂ  排気通路部、１０  内部部材、１０ａ  防雨板、１０ｂ  ダクト、２０  傾斜部、２１  支持部、２２  先端部、３０  給気誘導部、１００  給湯装置、Ｈ１  給気孔、ＯＰ  給気用開口、ＳＰ１  第１空間、ＳＰ２  第２空間。
【図１】
2020016382.tif 000003
【図２】
2020016382.tif 000004
【図３】
2020016382.tif 000005
【図４】
2020016382.tif 000006
【図５】
2020016382.tif 000007